(57)【特許請求の範囲】
【請求項１】
正面パネル体よりなる正面パネルの長手方向両端部側の第一の枠体と、側面パネル体よりなる側面パネルの、前記第一の枠体に対向する第二の枠体とが隣接して取り付けられ、
前記側面パネルの、床パネルの長手方向両端部側に対向する第三の枠体と、前記床パネルの、前記第三の枠体に対向する第四の枠体とが隣接して取り付けられ、
前記正面パネルの一方の長手方向に沿う第五の枠体と、前記床パネルの、前記第五の枠体に対向する第六の枠体とが隣接して取り付けられたフラワーボックスにおいて、
前記側面パネルは前記正面パネルの前記第一の枠体に回動可能に連結され、
前記側面パネルの前記第二の枠体と前記正面パネルの第一の枠体とを直線状にし、
前記側面パネルの対向する前記第三の枠体同士の間に前記床パネルの前記第四の枠体が組み込まれると、
前記側面パネルの前記第三の枠体の、前記側面パネル体が取り付けられる面部の突出部は、前記第三の枠体の、前記床パネルが組み込まれる面部を越えて延長され形成されており、前記床パネルの前記第四の枠体の、前記側面パネル体側の端部の面部を被うことを特徴とするフラワーボックス。
【請求項２】
前記正面パネルの前記第五の枠体に前記床パネルの前記第六の枠体が組み込まれると、
前記正面パネルの第五の枠体の、前記正面パネル体が取り付けられている面部の突出部は、前記第五の枠体の、前記第六の枠体が組み込まれる側の面部を越えて延長され形成されており、前記床パネルの前記第六の枠体の、前記正面パネル体側の端部の面部を被い、
前記正面パネルの第五の枠体の、前記正面パネル体が取り付けられている面部の突出部の先端部は、前記突出部の本体部に対して垂直方向に、前記第六の枠体が組み込まれる側の面部に対して垂直方向に伸びて形成される突出部に向かうように伸びていることを特徴する請求項１に記載のフラワーボックス。
【請求項３】
前記正面パネルの前記第五の枠体の前記正面パネル体側の端部の前記面部の先端部が、前記床パネルに当接することを特徴とする請求項２に記載のフラワーボックス。
【発明の詳細な説明】
【技術分野】
【０００１】
本発明は、建物に取り付けられる、保管し易く、長期間の荷重に対して接合部の剛性が保てるフラワーボックスに関する。
【背景技術】
【０００２】
最近の建物ではバルコニーを設けるものが多い。このバルコニーはバルコニーユニット１００として工場で作製されたものが、現場において建物本体を構成する建物ユニット等に取り付けられる（特許文献１）。フラワーボックスでもあるこのバルコニーユニット１００は、床パネル１３０、正面パネル１２０及び二つの側面パネル１１０からなり、一般に、枠体に床パネル（スノコ等）が組み込まれ床パネル１３０となり、床パネル１３０の正面側の枠体に正面パネル体が取り付けられ正面パネル１２０となり、床パネルの両側面側の枠体にも側面パネル体が取り付けられて側面パネル１１０となっている。
【特許文献１】特開平９−２５０１６８（段落０００３）
【発明の開示】
【発明が解決しようとする課題】
【０００３】
このバルコニーユニット１００は、建物の外壁に取り付けるため、外壁が完成した箇所からバルコニーユニット１００を取り付けていく。そのために、予め建物がある現場（敷地内）に複数のバルコニーユニット１００を搬入し、現場（敷地内）にその複数のバルコニーユニット１００を保管しておく必要がある。複数のバルコニーユニット１００は、図１９に示すように、複数列に並べられるとともに、複数段に積み上げた状態で現場（敷地内）に搬入され、保管することになる。これら複数のバルコニーユニット１００を保管するための場所を現場（敷地内）に確保することは、現場（敷地内）に余裕がある場合（空き地がある場合）には可能であるが、現場（敷地内）に余裕がない場合（空き地がない場合）には困難となる。
【０００４】
また、フラワーボックスでもあるこのバルコニーユニット１００の床パネルには、観賞用の花を置くこともあるが、最近では、特にエアコンの室外機を置くことが多くなっている。このエアコンの室外機は、一般には５０ｋｇ程度あり、観賞用の花に比べるとかなり重い。そして、この室外機は短期間だけバルコニーユニット１００の床パネルに置かれるものではなく、長期間、例えば十年以上の長期間にわたって置かれることも希ではない。さらに、バルコニーユニット１００の笠木には人の手等をかけることができ、人による押圧がバルコニーユニット１００に加わることもある。
【０００５】
そのため、連結されている、床パネルが取り付けられた枠体と側面パネルが取り付けてある枠体との接合部の剛性を保つことが課題となり、具体的には、連結されている、床パネルが取り付けられた枠体と正面パネルが取り付けてある枠体との間に隙間が生じることもある。つまり、対向している枠体同士の床パネル側が離れて隙間が生じ、枠体同士でちょうど口が開いた状態を生じさせることになる。
【０００６】
本発明は上記の事情に鑑みなされたものであり、建物の現場（敷地内）における保管のための場所が狭い場合であっても保管することが可能であるとともに、人により加えられる押圧や長期間にわたって設置される機器等による長期荷重に接合部の剛性が保てるフラワーボックスを提供することを目的とする。
【０００７】
上記の目的を達成するために、請求項１に記載の発明は、正面パネル体よりなる正面パネルの長手方向両端部側の第一の枠体と、側面パネル体よりなる側面パネルの、前記第一の枠体に対向する第二の枠体とが隣接して取り付けられ、前記側面パネルの、床パネルの長手方向両端部側に対向する第三の枠体と、前記床パネルの、前記第三の枠体に対向する第四の枠体とが隣接して取り付けられ、前記正面パネルの一方の長手方向に沿う第五の枠体と、前記床パネルの、前記第五の枠体に対向する第六の枠体とが隣接して取り付けられたフラワーボックスにおいて、前記側面パネルは前記正面パネルの前記第一の枠体に回動可能に連結され、前記側面パネルの前記第二の枠体と前記正面パネルの第一の枠体とを直線状にし、前記側面パネルの対向する前記第三の枠体同士の間に前記床パネルの前記第四の枠体が組み込まれると、前記側面パネルの前記第三の枠体の、前記側面パネル体が取り付けられる面部の突出部は、前記第三の枠体の、前記床パネルが組み込まれる面部を越えて延長され形成されており、前記床パネルの前記第四の枠体の、前記側面パネル体側の端部の面部を被うことを特徴とする。
【０００８】
従って、請求項１に記載の発明によれば、床パネルの、側面パネルの対向する第三の枠体（妻ばり）同士の間に床パネルの両側の第四の枠体（妻面スノコフレーム）が組み込まれると、側面パネルの、床パネルの第四の枠体（妻面スノコフレーム）に対向する第三の枠体（妻ばり）の側面パネル体側の端部の面部は、床パネルの、側面パネルの第三の枠体（妻ばり）に組み込まれた第四の枠体（妻面スノコフレーム）の側面パネル体側の端部の面部を被う。
【０００９】
そのため、床パネルにエアコンの室外機等が長期にわたって置かれたり、フラワーボックスの笠木に人の手等による押圧が加わっても、第三の枠体（妻ばり）と第四の枠体（妻面スノコフレーム）との接合部の剛性が保てるとともに、隙間が生じないことから意匠的にも優れている。
【００１０】
また、正面パネルに対して側面パネル同士を回動させて正面パネルに引き起こし、側面パネル同士の間を床パネルを摺動させ（移動させ）、床パネルを側面パネル及び正面パネルに対して取り付けた後に、正面パネルと側面パネルとを固定部材により固定するとともに、正面パネルと床パネルとを固定部材により固定したり、正面パネルに対して側面パネル同士を回動させて正面パネル上に引き起こし、正面パネルと側面パネルとを固定部材により固定した後に、側面パネル同士の間を床パネルを摺動させ（移動させ）、床パネルを側面パネル及び正面パネルに対して取り付け、正面パネルと床パネルとを固定部材により固定したりできる。
【００１１】
また、請求項２に記載の発明は、請求項１に記載の構成に加え、前記正面パネルの前記第五の枠体に前記床パネルの前記第六の枠体が組み込まれると、前記正面パネルの第五の枠体の、前記正面パネル体が取り付けられている面部の突出部は、前記第五の枠体の、前記第六の枠体が組み込まれる側の面部を越えて延長され形成されており、前記床パネルの前記第六の枠体の、前記正面パネル体側の端部の面部を被い、前記正面パネルの第五の枠体の、前記正面パネル体が取り付けられている面部の突出部の先端部は、前記突出部の本体部に対して垂直方向に、前記第六の枠体が組み込まれる側の面部に対して垂直方向に伸びて形成される突出部に向かうように伸びていることを特徴する。
【００１２】
従って、請求項２に記載の発明によれば、正面パネルの第五の枠体（桁）に床パネルの第六の枠体（正面スノコフレーム）が組み込まれると、正面パネルの第五の枠体（桁）の、正面パネル体側の端部の面部が、床パネルの第六の枠体（正面スノコフレーム）の、正面パネル体側の端部の面部を被う。
【００１３】
そのため、床パネルにエアコンの室外機等が長期にわたって置かれたり、フラワーボックスの笠木に人の手等による押圧が加わっても、第五の枠体（桁）と第六の枠体（正面スノコフレーム）との接合部の剛性が保てるとともに、隙間が生じないことから意匠的にも優れている。
【００１４】
フラワーボックスの笠木に人の手等による押圧が加わると、第五の枠体（桁）の突出部の先端部が床パネルと当接（接触）し、押圧を加える状態になる。
【００１５】
さらに、請求項３に記載の発明は、請求項２に記載の構成に加え、前記正面パネルの前記第五の枠体の前記正面パネル体側の端部の前記面部の先端部が、前記床パネルに当接することを特徴とする。
【００１６】
従って、請求項３に記載の発明によれば、正面パネルの第五の枠体（桁）の、正面パネル体側の端部の面部の先端部が床パネルに当接するため、フラワーボックスの笠木に人の手等による押圧が加わると、第五の枠体（桁）の面部の先端部が床パネルにも押圧を加えることになり、より大きな加重に対しても、第五の枠体（桁）と第六の枠体（正面スノコフレーム）との接合部の剛性が保てるとともに、隙間が生じないことから意匠的にも優れている。
【発明の効果】
【００１７】
本発明によれば、正面パネルと分離された床パネルとを重ね合わせ、正面パネルに連結された側面パネルを、正面パネル及び床パネル側へ折り畳んだ状態でフラワーボックスを保管することができるため、現場（敷地内）に余裕がない場合でもフラワーボックスを保管できる場所を確保することができ、フラワーボックスを保管することができる。図１８には、従来のバルコニーユニット１００（フラワーボックス）と本願のフラワーボックス１との保管の状態を比較してある。ここでは、従来のバルコニーユニット１００（フラワーボックス）、本願のフラワーボックス１はともに１２セットを保管している状態が示されている。
【００１８】
従来のバルコニーユニット１００（フラワーボックス）であると、矢印Ｗ方向が約６ｍ程度、矢印Ｄ方向が約１ｍ程度、矢印Ｈ方向が約１．５ｍ程度となっている。これが、本願のフラワーボックス１では、矢印Ｗ方向が約２ｍ程度、矢印Ｄ方向が約１ｍ程度、矢印Ｈ方向が約１．５ｍ程度となっている。つまり、従来のバルコニーユニット１００（フラワーボックス）に比べ、本願の折り畳んだフラワーボックス１は１／３の保管場所があればよいことになる。
【００１９】
また、フラワーボックスの床パネルにエアコンの室外機等が長期にわたって置かれたり、フラワーボックスの笠木に人の手等による押圧が加わっても、側面パネルの第三の枠体（妻ばり）の面部は、床パネルの第四の枠体（妻面スノコフレーム）の面部を被うため第三の枠体（妻ばり）と第四の枠体（妻面スノコフレーム）との接合部の剛性が保てるとともに、隙間が生じないことから意匠的にも優れている。特に、フラワーボックスの笠木に人の手等による押圧が加わると、正面パネルの第五の枠体（桁）の面部の先端部が床パネルに当接するため、正面パネル及び床パネル双方に押圧が加わり、より大きな加重に対しても、第五の枠体（桁）と第六の枠体（正面スノコフレーム）との接合部の剛性が保てるとともに、隙間が生じないことから意匠的にも優れている。
【発明を実施するための最良の形態】
【００２０】
以下、本発明を実施するための最良の形態について図面を参照して説明する。
【００２１】
図１には、本発明であるフラワーボックス１の完成図が示されている。図１に示すように、フラワーボックス１は正面パネル２、床パネル３及び二つの側面パネル４で構成されている。そして、本発明であるフラワーボックス１では、正面パネル２の長手方向端部側にそれぞれ側面パネル４、４が取り付けられており、正面パネル２の一方の長手方向に沿う端部側に床パネル３が取り付けられている。
【００２２】
正面パネル２は、図１に示すように、前柱２１、２１（第一の枠体）、正面笠木２２及び桁２３（第五の枠体）によりパネル枠２５を形成しており、そのパネル枠２５内にはパネル体を組み込むことになる。本例では、一例としてパネル枠２５内にルーバーを組み込んでいるが、特にルーバーに限定されることはない。また、床パネル３は、図１に示すように、スノコフレーム（正面スノコフレーム３２（第六の枠体）、妻面スノコフレーム３１（第四の枠体））によりスノコ枠３３を形成しており、そのスノコ枠３３内にはスノコ３５が組み込まれている。また、スノコ３５の一方の面側には、根太３６が正面スノコフレーム３２と根太掛け３７に固定され、スノコ３５の長手方向を横断する方向に複数、本例では、５本設けられている。
【００２３】
側面パネル４、４は、図１に示すように、側面たて材４１（第二の枠体）、躯体側たて材４１´、妻面笠木４２及び妻ばり４３（第三の枠体）によりパネル枠４５を形成しており、そのパネル枠４５内には側面パネル体４６を組み込むことになる。本例では、一例として４枚の側面パネル体４６を組み込んでいる。そして、図１に示すように、正面パネル２の前柱２１、２１（第一の枠体）と側面パネル４、４の側面たて材４１（第二の枠体）とが隣接して取り付けられており、正面パネル２の桁２３（第五の枠体）と床パネル３の正面スノコフレーム３２（第六の枠体）とが隣接して取り付けられており、側面パネル４、４の妻ばり４３（第三の枠体）と床パネル３の妻面スノコフレーム３１（第四の枠体）とが隣接して取り付けられている。
【００２４】
つぎに、正面パネル２と側面パネル４、４との連結について説明する。図２及び図３に示すように、正面パネル２の長手方向端部側にそれぞれ側面パネル４、４の端部側が取り付けられている。図２及び図３に示すように、正面パネル２の前柱２１（第一の枠体）と側面パネル４の側面たて材４１（第二の枠体）とが丁番５を介して連結されている。具体的には、図４に示すように、前柱２１と側面たて材４１との間に丁番５（図４中の太線で表記）が取り付けられている。この丁番５を前柱２１に取り付けるために正面パネル２の前柱２１には、図５及び図６に示すように、前柱２１同士が向き合う面側に円弧状の凹部２６が形成されている。
【００２５】
この円弧状の凹部２６は、図３に示すように、前柱２１の、前柱２１同士が向き合う面側でしかも前柱２１に隣接する側面たて材４１側に、前柱２１の長手方向（図２に示す矢印Ｈ方向）に沿って形成されている。この円弧状の凹部２６に組み込まれる丁番５は、図２及び図４に示すように、前柱２１及び側面たて材４１の長手方向に沿って伸びている。そして、丁番５では、図２に示すように、妻面笠木４２を避けるための切欠部５２が上端部側に形成されており、床パネル３を避けるために切欠部５３が下端部側に形成されている。
【００２６】
この丁番５には、図５及び図６に示すように、丁番５の一方の端部側に円弧状の突出部５１が丁番５の長手方向に沿って形成されており、前柱２１の円弧状の凹部２６に組み込まれている。本例では、前柱２１の円弧状の凹部２６が丁番５の円弧状の突出部５１より大きく、円弧状の凹部２６内に円弧状の突出部５１が組み込まれている。そして、図５及び図６に示すように、円弧状の凹部２６の内周面と円弧状の突出部５１の外周面とを摺動することが可能になっている。
【００２７】
また、本例とは逆に前柱２１に円弧状の突出部を形成し、丁番５に円弧状の凹部を形成し、丁番５の円弧状の凹部へ前柱２１の円弧状の突出部を組み込んで円弧状の凹部の内周面と円弧状の突出部の外周面とを摺動することも可能である。本例では、前柱２１と丁番５とは、前柱２１のいずれかの端部側の円弧状の凹部２６へ丁番５のいずれかの端部の円弧状の突出部５１を差し込み、円弧状の凹部２６の内周面と円弧状の突出部５１の外周面とを前柱２１及び丁番５の長手方向に沿って摺動させて組み込んでいる。前柱２１の円弧状の凹部２６へ丁番５の円弧状の突出部５１を組み込むことで、円弧状の凹部２６及び円弧状の突出部５１を中心に前柱２１、丁番５が回動可能な状態になっている。
【００２８】
丁番５は、平板部５４を側面たて材４１の側面部４１１に重ね合わせて平板部５４、側面部４１１の長手方向に沿って複数のねじ１１で平板部５４と側面部４１１とを固定している。このねじ１１で平板部５４と側面部４１１とを固定することで前柱２１、側面たて材４１が円弧状の凹部２６及び円弧状の突出部５１を中心に回動することが可能になる。
【００２９】
具体的には、図５に示す前柱２１と側面たて材４１が並んだ（直線状になる）、正面パネル２に対して側面パネル４が直角の状態から図７に示す前柱２１と側面たて材４１とが直角（９０゜）になる、正面パネル２と側面パネル４とが重なる状態へ、また逆に図７に示す状態から図５に示す状態へ円弧状の凹部２６及び円弧状の突出部５１を中心に前柱２１、側面たて材４１が回動することで実現することになる。また、前柱２１の両端部には、図２に示すように、蓋部材２７、２７が取り付けられており、丁番５の円弧状の突出部５１の両端部を覆うとともに、抜け止め防止になっている。なお、前柱２１と側面たて材４１が並んだ（直線状になる）状態とは、前柱２１と側面たて材４１に角度がついた状態や、段差がある状態等も含まれる。
【００３０】
また、図５に示す前柱２１と側面たて材４１とが並んだ（直線状になる）、正面パネル２に対して側面パネル４が直角の状態となるために規制するための機構として側面たて材４１にはストッパー４１２が形成されている。このストッパー４１２は、図５に示すように、前柱２１と側面たて材４１とが並んだ（直線状になる）状態を維持するために、前柱２１の側面部２１１に当接して側面たて材４１の矢印Ｙ方向の回動を規制している。
【００３１】
さらに、図７に示す前柱２１と側面たて材４１とが直角（９０゜）になる、正面パネル２と側面パネル４とが重なる（平行となる）状態となるために規制するための機構として、丁番５にはストッパー５５が形成されており、前柱２１にはストッパー受２１２が形成されている。このストッパー５５、ストッパー受２１２は、図７に示すように、側面たて材４１が矢印Ｘ方向へ回動し丁番５のストッパー５５が前柱２１のストッパー受２１２に当接することで側面たて材４１の矢印Ｘ方向の回動が規制されて前柱２１と側面たて材４１とが直角（９０゜）になる状態を維持することになる。
【００３２】
また、前柱２１内には、図４に示すように、補強裏板６がねじ１１、１１により固定されている。この補強裏板６は、図４及び図６に示すように、前柱２１を越えて妻面笠木４２内へ伸びている。また、補強裏板６には、円弧状の凹部２６及び円弧状の突出部５１を避けるための凹部６１が形成されており、補強裏板６の凹部６１が円弧状の凹部２６及び円弧状の突出部５１を跨ぎ妻面笠木４２内へ伸びている。そして、正面パネル２と側面パネル４、４とを組み立てて固定する際に、妻面笠木４２内に伸びている補強裏板６をねじ１４により妻面笠木４２に固定し、正面パネル２と側面パネル４、４との連結の強化を図っている（図４参照）。
【００３３】
つぎに、側面パネル４、４と床パネル３との連結について説明する。
【００３４】
床パネル３は、図８に示すように、対向する側面パネル４、４の、妻ばり４３、４３（第三の枠体）の間に組み込まれることになる。妻ばり４３は、図８及び図９に示すように、中空材であり組み立てられたフラワーボックス１の側面パネル４、４の長手方向を横断する断面方向から見ると略長方形の形状をなしており、面部４３１側に側面パネル体４６が取り付けられているとともに、中空部に、妻ばりの部材長さとほぼ同一長さのＬ字状をした妻ばり補強材４７が取り付けられ、フラワーボックスにかかる加重を受けている（図８、図２参照）。妻ばり４３は、図９に示す形状をなしており、具体的には、つぎに示す形状となっている。面部４３１に隣り合う４３３から面部４３１に対向する面部４３２へかけて凸部４３５が形成されている。また、面部４３１に隣り合う、床パネル３が組み込まれる面部４３４側には複数の突出部４３６、４３７、４３８、４３９が形成されている。
【００３５】
突出部４３６は面部４３１の一部であり、図９に示すように、面部４３１が面部４３４を越えて延長され形成されたものであり、面部４３４に対して垂直方向へ伸びている。ただし、突出部４３６は、図９に示すように、面部４３１と同一の平面を形成している場合に限らず、突出部４３６と面部４３１とで段差を形成したり、面部４３１から突出部４３６が傾斜して伸びたりする場合等であっても突出部４３６は面部４３１の一部をなすものである。突出部４３６の近接して形成された突出部４３７も、突出部４３６と同様に、面部４３４に対して垂直方向へ伸びている。突出部４３７の先端部４３７ａは、図９に示すように、突出部４３７の本体部４３７ｂに対して垂直方向に、突出部４３６に向かうように伸びている。以上のように、突出部４３６、面部４３０及び突出部４３７で囲まれた空間に妻面スノコフレーム３１（第四の枠体）が組み込まれることになる。
【００３６】
また、突出部４３７に近接して突出部４３８が形成されている。この突出部４３８は、図９に示すように、妻ばり４３の段部となる位置から面部４３４に対して垂直方向に、突出部４３７より短い長さで伸びている。そして、突出部４３９は、面部４３２が面部４３４を越えて延長されて形成されたものであり、面部４３４に対して垂直方向へ伸びている。突出部４３９の先端は、図９に示すように、面部４３２に対して垂直方向に折れ曲がっている。以上が組み立てられたフラワーボックス１の側面パネル４、４の長手方向を横断する断面方向から捉えた妻ばり４３である。妻ばり４３には、図８に示すように、側面パネル体４６が取り付けられる。
【００３７】
つぎに、妻ばり４３に組み込まれる床パネル３の妻面スノコフレーム３１は、図８及び図９に示すように、中空材であり、組み立てられたフラワーボックス１の側面パネル４、４の長手方向を横断する断面方向から見ると略長方形の形状をなしている。面部３１１は平板状に形成されており、面部３１１が面部３１３、３１４を越えて面部３１３、３１４に対して垂直方向に伸びて突出部３１５、３１５が形成されている。また、面部３１１に対向する面部３１２から面部３１４にかけて凹部３１６が形成されている。面部３１４には、面部３１４から垂直方向に伸びる、突出部３１５より長い長さの突出部３１７が形成されている。以上が組み立てられたフラワーボックス１の側面パネル４、４の長手方向を横断する断面方向から捉えた妻面スノコフレーム３１である。妻面スノコフレーム３１は、図８及び図９に示すように、妻ばり４３に組み込まれるため、妻面スノコフレーム３１の長手方向と妻ばり４３の長手方向同士が向かい合っている。
【００３８】
そして、妻面スノコフレーム３１にはスノコ３５が組み込まれている。具体的には、図８及び図９に示すように、妻面スノコフレーム３１の突出部３１５と突出部３１７との間でスノコ３５を挟み込むとともに、正面スノコフレーム３２と根太掛け３７に固定された根太３６に載せることで、妻面スノコフレーム３１にスノコ３５を組み込んでいる。そして、妻面スノコフレーム３１へのスノコ３５の固定は、図１０に示すように、妻面スノコフレーム３１の突出部３１７側からねじ１１で妻面スノコフレーム３１の突出部３１７とスノコ３５とを固定することで行われている。なお、根太３６からもスノコ３５をねじで固定している。
【００３９】
そして、このスノコ３５が組み込まれた妻面スノコフレーム３１が妻ばり４３に組み込まれている状態が図８及び図９に示されている。具体的には、妻ばり４３の、突出部４３６、面部４３０及び突出部４３７との間に妻面スノコフレーム３１が組み込まれている。この突出部４３６と突出部４３７との間の寸法は、妻面スノコフレーム３１の、面部３１１と面部３１２との間の寸法より大きくなっており、妻面スノコフレーム３１が組み込みやすくなっている。妻面スノコフレーム３１が妻ばり４３に組み込まれると、妻ばり４３の突出部４３７の先端部４３７ａが妻面スノコフレーム３１の凹部３１６に入り込むことになり、妻面スノコフレーム３１が妻ばり４３に組み込まれた状態になる。
【００４０】
このように組み込まれた状態になると、妻ばり４３の突出部４３６が妻面スノコフレーム３１の面部３１１と重なり合うことになる。つまり、側面パネル４の、床パネル３の妻面スノコフレーム３１に対向する妻ばり４３の側面パネル体４６側の端部の面部４３１である、妻ばり４３の突出部４３６は、床パネル３の、側面パネル４の妻ばり４３に組み込まれた妻面スノコフレーム３１の側面パネル体４６側の端部の面部３１１である、妻面スノコフレーム３１の面部３１１を被うことになる。
【００４１】
そして、妻ばり４３と妻面スノコフレーム３１との固定は、図１０に示すように、重なり合っている、妻ばり４３の突出部４３７の本体部４３７ｂと妻面スノコフレーム３１の面部３１２とを、妻ばり４３及び妻面スノコフレーム３１の長手方向に沿って、ねじ１３´で行われている。このとき、妻ばり４３の面部４３０と妻面スノコフレーム３１の面部３１３は対向している。
【００４２】
つぎに、床パネル３と正面パネル２との連結について説明する。
【００４３】
床パネル３は、図２及び図３に示すように、対向する妻ばり４３、４３の間に組み込まれるとともに、正面パネル２の桁２３（第五の枠体）に組み込まれている。桁２３は、図２及び図１１に示すように、中空材であり、組み立てられたフラワーボックス１の正面パネル２の長手方向を横断する断面方向から見ると二つの略長方形を重ねた形状をなしており、面部２３１側に正面パネル体２８が取り付けられている（図２参照）。面部２３１に隣り合う面部２３３には、略コ字状をなす突出部２３８、２３９が形成されている。突出部２３８は面部２３１の一部であり、図１１に示すように、面部２３１が面部２３３を越えて延長され形成されたものであり、面部２３３に対して垂直方向へ伸びている。ただし、突出部２３８は、図１１に示すように、面部２３１と同一の平面を形成している場合に限らず、突出部２３８と面部２３１とで段差を形成したり、面部２３１から突出部２３８が傾斜して伸びたりする場合等であっても突出部２３８は面部２３１の一部をなすものである。また、突出部２３８の先端部２３８ａは、図１１に示すように、突出部２３８の本体部２３８ｂに対して垂直方向に、突出部２３９に向かうように伸びている。
【００４４】
突出部２３９は面部２３７の一部であり、面部２３１に部分的に対向する面部２３７が面部２３３を越えて延長され、面部２３３に対して垂直方向に伸びて形成されている。本例では、突出部２３９は突出部２３８の長さより長く、突出部２３９と突出部２３８（本体部２３８ｂ）は平行となるように形成されている。以上のように、突出部２３８、面部２３３及び突出部２３９で囲まれた空間に正面スノコフレーム３２（第六の枠体）が組み込まれることになる。また、面部２３７に隣り合う面部２３４は、面部２３７に対して垂直方向に伸びており、面部２３４に隣り合う面部２３２は面部２３４に対して垂直に伸びて、面部２３１に部分的に対向して形成されている。
【００４５】
面部２３２に隣り合う面部２３５は、面部２３２に対して垂直方向に伸びており、面部２３１の方向に向かって伸びて形成されている。この面部２３５からは、突出部２３５ａが面部２３２を越えて延長されて形成されており、面部２３２に対して垂直方向へ伸びている。面部２３５はなだらかな段差を経て面部２３６と隣り合っており、面部２３６は隣り合う面部２３１に対して垂直方向へ伸びている。以上が組み立てられたフラワーボックス１の正面パネル２の長手方向を横断する断面方向から捉えた桁２３である。桁２３には、図２に示すように正面パネル体２８が取り付けられる。
【００４６】
つぎに、桁２３に組み込まれる正面スノコフレーム３２は、図２及び図１１に示すように、組み立てられたフラワーボックス１の正面パネル２の長手方向を横断する断面方向から見ると略コ字状の形状を背中合わせで組み合わせた形状をなしている。中央面部３２１の一方の端面側には面部３２２が形成されており、他方の端部側には面部３２３、面部３２４が形成されている。面部３２３と面部３２４とは、中央面部３２１を中心に振り分けて形成されており、面部３２３と面部３２４は中央面部３２１の他方の端部に形成されて伸びており、面部３２４は若干面部３２２寄りに形成されて伸びている。その結果、面部３２３と面部３２４とで段部３２５が形成されている。
【００４７】
以上が組み立てられたフラワーボックス１の正面パネル２の長手方向を横断する断面方向から捉えた正面スノコフレーム３２である。正面スノコフレーム３２は、図２及び図１１に示すように、桁２３に組み込まれるため、正面スノコフレーム３２の長手方向と桁２３の長手方向同士が向かい合っている。
【００４８】
正面スノコフレーム３２にはスノコ３５が組み込まれている。具体的には、図１１及び図１２に示すように、正面スノコフレーム３２の面部３２２と根太掛け３７に固定された根太３６に、スノコ３５を載せることで正面スノコフレーム３２にスノコ３５を組み込んでいる。また、スノコ３５は根太３６からねじで固定されている。なお、正面スノコフレーム３２とスノコ３５は直接固定されておらず、正面スノコフレーム３２の面部３２４の端部とスノコ３５の端部が当接している。
【００４９】
そして、このスノコ３５が組み込まれた正面スノコフレーム３２が正面パネル２の桁２３に組み込まれている状態が図１１及び図１２に示されている。具体的には、桁２３の、突出部２３８と突出部２３９との間に正面スノコフレーム３２が組み込まれている。
【００５０】
このように組み込まれた状態になると、桁２３の突出部２３８が面部３２３（床パネル３）と重なり合うことになる。つまり、正面パネル２の桁２３の、正面パネル体２８側の端部の面部２３１である、桁２３の突出部２３８は、床パネル３の正面スノコフレーム３２の、正面パネル体２８側の端部の面部３２３（床パネル３）を被うことになる。そして、桁２３と床パネル３との固定は、図１２に示すように、重なり合っている、桁２３の突出部２３９と正面スノコフレーム３２の面部３２２とを、桁２３及び正面スノコフレーム３２の長手方向に沿って、ねじ１３で行われている。以上のようにしてフラワーボックス１は組み立てられている。また、フラワーボックスの笠木に人の手等による押圧が加わると、桁２３の突出部２３８の先端部２３８ａが床パネル３と当接（接触）し、押圧を加える状態になる。なお、本案では、笠木に押圧が加わると、桁２３の突出部２３８の先端部２３８ａが床パネル３に当接するが、諸条件によっては床パネル３の組み込み時に当接させても良い。
【００５１】
つぎに、フラワーボックス１の折り畳まれた状態から組立方法について説明する。
【００５２】
フラワーボックス１は、フラワーボックス１の保管場所に搬入されたときには、図１３に示すように、正面パネル２を中心に床パネル３及び側面パネル４、４を折り畳んだ状態になっている。具体的には、図１３（ａ）に示すように、正面パネル２の上に床パネル３が重なり合っており、正面パネル２（の前柱２１）と丁番５を介して連結された側面パネル４（側面たて材４１）が床パネル３及び正面パネル２と重なり合っている。正面パネル２に重ねられた床パネル３は、本例では、図１３（ｂ）に示すように、正面パネル２及び床パネル３の長手方向を横断する方向である矢印Ｈ方向では正面パネル２よりも短い。
【００５３】
そして、正面パネル２内で床パネル３が正面パネル２と重なり合って配置される位置は、図１３（ｂ）に示すように、桁２３及び妻ばり４３寄りで、床パネル３が、桁２３と妻ばり４３との間と向かい合うところである。また、側面パネル４、４が正面パネル２に重なり合った状態では、図７に示すように、側面パネル４、４の側面たて材４１に固定された丁番５のストッパー５５が前柱２１のストッパー受２１２に当接している。
【００５４】
そして、図１３に示すように、側面パネル４、４の妻ばり４３に取り付けられているブラケット９と正面パネル２の桁２３が隣接している。このようにブラケット９が妻ばり４３と桁２３との間に入ることで正面パネル２と側面パネル４、４との間に隙間ができている。この隙間が床パネル３の厚さを収納できる隙間となっており、図１３（ｂ）に示すように、正面パネル２と側面パネル４、４との間に床パネル３が入るようになっている。以上がフラワーボックス１の折り畳まれた状態である。
【００５５】
この折り畳まれた状態から組み立てるには、図１４に示すように、まず、正面パネル２に対して側面パネル４、４を矢印Ｖ方向に沿って引き起こす。つまり、正面パネル２に対して側面パネル４、４を回動する。具体的には、図７に示す正面パネル２に対して側面パネル４、４が折り畳まれた状態である、側面パネル４、４の側面たて材４１に固定された丁番５のストッパー５５が前柱２１のストッパー受２１２に当接している状態から丁番５のストッパー５５が前柱２１のストッパー受２１２から離れる。
【００５６】
つまり、図５に示すように、側面パネル４、４の丁番５の円弧状の突出部５１を正面パネル２の前柱２１の円弧状の凹部２６内を摺動させて、矢印Ｙ方向へ側面パネル４、４を回動させる。側面パネル４、４の回動を続けると、図５に示すように、側面パネル４、４の側面たて材４１のストッパー４１２が前柱２１の側面部２１１に当接する（側面パネル４、４の側面たて材４１と正面パネル２の前柱２１とが直線状になる）。つまり、図１４に示すように、側面パネル４、４及び正面パネル２はコ字状の形状をなす。
【００５７】
つぎに、正面パネル２に重ね合わせてある床パネル３を側面パネル４、４に組み込む。図１５に示すように、床パネル３を矢印Ｄ方向に沿って側面パネル４、４の妻ばり４３、４３へ組み込む。具体的には、図９及び図１０に示すように、床パネル３の妻面スノコフレーム３１を、図１５に示す矢印Ｄ方向に沿って、側面パネル４、４の妻ばり４３の、突出部４３６、面部４３０及び突出部４３７で囲まれた空間を通す（移動させる）。
【００５８】
床パネル３を側面パネル４、４の妻ばり４３、４３を通す際、図９及び図１０に示すように、妻ばり４３の、突出部４３６と突出部４３７との間の寸法は、妻面スノコフレーム３１の、面部３１１と面部３１２との間の寸法より大きくなって逃げ（隙間）があるため床パネル３は側面パネル４、４の妻ばり４３、４３を容易に通り、床パネル３が側面パネル４、４に組み込まれる。そして、妻ばり４３の突出部４３６が妻面スノコフレーム３１の面部３１１を被う。
【００５９】
最終的に、床パネル３は図２、図１１及び図１２に示すように、正面パネル２の桁２３に到達し、床パネル３の移動方向の端部側の正面スノコフレーム３２が、桁２３の、突出部２３８と突出部２３９との間に入り組み込まれ、正面パネル２の桁２３の突出部２３８が床パネル（正面スノコフレーム３２の面部３２３）３と重なり合う。つまり、正面パネル２の桁２３の突出部２３８が床パネル（正面スノコフレーム３２の面部３２３）３に被さる。
【００６０】
以上のようにして、正面パネル２に対して側面パネル４、４及び床パネル３を取り付けると図１６に示すように、フラワーボックス１が組み上がる。このフラワーボックス１が組み上がった状態を固定するために固定部材であるねじ１２、１３により固定する。ねじ１２は、図５に示すように、側面パネル４の側面たて材４１のストッパー４１２と正面パネル２の前柱２１の側面部２１１とを固定する。これより、側面パネル４、４と正面パネル２とが固定される。また、ねじ１３は、重なり合っている、正面パネル２の桁２３の突出部２３９と床パネル３の正面スノコフレーム３２の面部３２２とを固定する。なお、必要に応じて、側面パネル４の妻ばり４３の突出部４３７と床パネル３の妻面スノコフレーム３１の面部３１２をねじ１３´で固定することもできる。これより、正面パネル２と床パネル３とが固定される。
【００６１】
以上のように、正面パネル２に側面パネル４、４及び床パネル３を固定することによりフラワーボックス１の組立が完了する。
【００６２】
ただし、フラワーボックス１の組立方法は以上の順序に限定されるものではない。以下のような順序を採ることも可能である。まず、図１４に示すように、正面パネル２に対して側面パネル４、４を矢印Ｖ方向に沿って引き起こした後に、正面パネル２に対して側面パネル４を固定する。つまり、ねじ１２により、図５に示すように、側面パネル４の側面たて材４１のストッパー４１２と正面パネル２の前柱２１の側面部２１１とを固定する。これより、側面パネル４、４と正面パネル２とを固定する。その後、正面パネル２に重ね合わせてある床パネル３を側面パネル４、４に組み込む。床パネル３の妻面スノコフレーム３１を、図１５に示す矢印Ｄ方向に沿って、側面パネル４、４の妻ばり４３を通す（移動させる）。そうすると、妻ばり４３の突出部４３６が妻面スノコフレーム３１の面部３１１に被さる。
【００６３】
そして、図１１に示すように、床パネル３の移動方向の端部側の正面スノコフレーム３２が、正面パネル２の桁２３に組み込まれ、正面パネル２の桁２３の突出部２３８が床パネル（正面スノコフレーム３２の面部３２３）３と重なり合う。つまり、正面パネル２の桁２３の突出部２３８が床パネル（正面スノコフレーム３２の面部３２３）３に被さる。その後、ねじ１３により、重なり合っている、正面パネル２の桁２３の突出部２３９と床パネル３の正面スノコフレーム３２の面部３２２とを固定する。なお、必要に応じて、側面パネル４の妻ばり４３の突出部４３７と床パネル３の妻面スノコフレーム３１の面部３１２をねじ１３´で固定することもできる。これより、正面パネル２と床パネル３とを固定する。以上の順序で正面パネル２に側面パネル４、４及び床パネル３を固定してフラワーボックス１の組立を完了させることも可能である。
【００６４】
最後に、図１７に示すように、正面パネル２を起こし、床パネル３を寝かすことでフラワーボックス１が完成する。そして、図２に示すように、フラワーボックス１を躯体１０に設置する。
【図面の簡単な説明】
【００６５】
【図１】本発明であるフラワーボックスの外観を示す斜視図である。
【図２】本発明であるフラワーボックスの正面パネル及び床パネルの長手方向を横断する断面方向から示す正面パネル及び床パネルの説明図である。
【図３】本発明であるフラワーボックスの正面パネル及び側面パネルの長手方向に沿う断面方向から示す正面パネル及び側面パネルの説明図である。
【図４】本発明であるフラワーボックスの正面パネルの長手方向を横断する断面方向から正面笠木近傍の丁番で連結された前柱と側面たて材と示す部分的に拡大した説明図である。
【図５】図４のＡＡ´線に沿う断面方向から示す説明図である。
【図６】図４のＢＢ´線に沿う断面方向から示す説明図である。
【図７】図５の状態から側面パネルを折り畳んだ状態を示す説明図である。
【図８】本発明であるフラワーボックスの側面パネルの長手方向を横断する断面方向から示す床パネル及び側面パネルの説明図である。
【図９】第三の枠体（妻ばり）と第四の枠体（妻面スノコフレーム）との連結を示す説明図である。
【図１０】第三の枠体（妻ばり）と第四の枠体（妻面スノコフレーム）との連結及び固定を示す説明図である。
【図１１】第五の枠体（桁）と第六の枠体（正面スノコフレーム）との連結を示す説明図である。
【図１２】第五の枠体（桁）と第六の枠体（正面スノコフレーム）との連結及び固定を示す説明図である。
【図１３】本発明であるフラワーボックスを折り畳んだ状態を示す説明図である。（ａ）は本発明であるフラワーボックスの斜視図である。（ｂ）は本発明であるフラワーボックスの長手方向を横断する断面方向から示す説明図である。
【図１４】本発明であるフラワーボックスの側面パネルを回動させた状態を示す説明図である。
【図１５】本発明であるフラワーボックスの側面パネルへ床パネルを組み込む状態を示す説明図である。
【図１６】本発明であるフラワーボックスの固定部材の取り付け状態を示す説明図である。
【図１７】本発明であるフラワーボックスの完成した状態を示す斜視図である。
【図１８】本発明であるフラワーボックスを保管する場合と従来のバルコニーユニットを保管する場合とを比較する説明図である。
【図１９】従来のバルコニーユニットを建物のある現場で保管する状態を示す説明図である。
【符号の説明】
【００６６】
１…フラワーボックス
１１、１２、１３、１４…ねじ
２…正面パネル、２１…前柱（第一の枠体）、２１１…側面部、２１２…ストッパー受、
２２…正面笠木、２３…桁（第五の枠体）、２３１、２３２、２３３、２３４、２３５、
２３６、２３７…面部、２３５ａ…突出部、２３８、２３９…突出部、２３８ａ…先端部、２３８ｂ…本体部
２５…パネル枠、２６…円弧状の凹部、２７…蓋部材、２８…正面パネル体
３…床パネル、３１…妻面スノコフレーム（第四の枠体）、３１１、３１２、３１３、
３１４…面部、３１５…突出部、３１６…凹部、３１７…突出部
３２…正面スノコフレーム（第六の枠体）、３２１…中央面部、
３２２、３２３、３２４…面部、３２５…段部、
３３…スノコ枠、３５…スノコ、３６…根太、３７…根太掛け
４…側面パネル、４１…側面たて材（第二の枠体）、４１´…躯体側たて材
４１１…側面部、４１２…ストッパー、４２…妻面笠木、
４３…妻ばり（第三の枠体）、４３０、４３１、４３２、４３３、４３４…面部、
４３６、４３７、４３８、４３９…突出部、４３７ａ…先端部、４３７ｂ…本体部、
４５…パネル枠、４６…側面パネル体 、４７…妻ばり補強材
５…丁番、５１…円弧状の突出部、５２、５３…切欠部、５４…平板部、
５５…ストッパー、６…補強裏板、６１…凹部、９…ブラケット、１０…躯体
【図１】
0005297638.tif 000002
【図２】
0005297638.tif 000003
【図３】
0005297638.tif 000004
【図４】
0005297638.tif 000005
【図５】
0005297638.tif 000006
【図６】
0005297638.tif 000007
【図７】
0005297638.tif 000008
【図８】
0005297638.tif 000009
【図９】
0005297638.tif 000010
【図１０】
0005297638.tif 000011
【図１１】
0005297638.tif 000012
【図１２】
0005297638.tif 000013
【図１３】
0005297638.tif 000014
【図１４】
0005297638.tif 000015
【図１５】
0005297638.tif 000016
【図１６】
0005297638.tif 000017
【図１７】
0005297638.tif 000018
【図１８】
0005297638.tif 000019
【図１９】
0005297638.tif 000020